(57)【特許請求の範囲】
【請求項１】
地下空間を形成するコンクリート壁内に、該地下空間の最下床より低い位置から地面に達する高さをなすように垂設された耐蝕性の排水管をコンクリート壁下に連通させるとともに、該排水管の下端部を該地下空間の最下床の下方に設けられた湧水ピットに連通させ、
上記排水管の地中側面側にその長手方向に沿って網状部を備え、該網状部が導水性を有するシート状部材で覆われるとともに、上記コンクリート壁に上記シート状部材と地中側面とを連通する導水手段を備えたことを特徴とする地中壁構造。
【請求項２】
上記導水手段が、上記シート状部材に一方の端部が接触し、他端部が上記地中側面に至る耐蝕性の導水板でなることを特徴とする請求項１に記載の地中壁構造。
【請求項３】
上記排水管を上記コンクリート壁内の地中側面側に偏らせて設けたことを特徴とする請求項１または２のいずれかに記載の地中壁構造。
【発明の詳細な説明】
【０００１】
【発明の属する技術分野】
本発明は、地下空間を形成するために地中側面と地下空間との間に設けられ、地中の水分が地下空間側に漏水しないように形成された地中壁構造に関する。
【０００２】
【従来の技術】
地面を掘削してその内部に形成される地下空間とその外側の地中側面とを隔てるコンクリート壁には、その外側に位置する地中の地下水や地中に含まれる水が、コンクリート壁の外面にかかる土圧によって、そのコンクリート壁表面にしみ出してくる。
【０００３】
従来、この水を排水するために、当該壁面に多数の水抜き用の貫通孔を設け、この貫通孔を通して、コンクリート壁の地中側面側の水を地下空間内に導き、その内側に設けられた排水設備によって排水していた。
【０００４】
また、コンクリートの表面に防水性が必要な場合には、コンクリート壁の地中側面側に止水シートを設けて防水するので、地中の水をこの止水シートを伝わせてコンクリート壁外に排水していた。
【０００５】
【発明が解決しようとする課題】
しかしながら、上記従来の地中壁構造では、当然のことながら、コンクリート壁の地中側面側の水を地下空間側に導く水抜き用の貫通孔が、コンクリート壁の地下空間側面に露出しその貫通孔から水をしみ出させていたため、使用する地下空間のコンクリート壁表面が汚れ、美観が損なわれていた。
【０００６】
また、一般にコンクリートの構造物は、セメントの水和熱による温度変化や乾燥収縮によってひび割れを生じ易く、このひび割れを完全に防止することは難しい。即ち、この温度変化や乾燥収縮によって発生したひび割れがコンクリート壁を貫通している場合には、このひび割れからも上記の水が地下空間の壁面のひび割れに沿って筋状にしみ出すとともに、ひび割れにしみ込んだ水が壁内部に配した鉄筋を発錆させ、その錆を含んだ水が壁面にしみ出して壁面をひび割れに沿って変色させるため、コンクリート表面の美観が著しく損なわれていた。
【０００７】
また、止水シートをコンクリート壁の地中側面側に備えた場合には、経時変化等によって止水シートが劣化し破損すると、上記の場合と同様にひび割れから漏水してコンクリート表面の美観を損ない、さらに、この止水シートの補修には多大な手間と費用がかかるという課題があった。
【０００８】
そこで、本発明はかかる従来の課題に鑑みて成されたもので、地下空間を形成するコンクリート壁の地中側面側にしみ出す水を地下空間内に漏水させることなく排水する地中壁構造を提供することを目的とする。
【０００９】
【課題を解決するための手段】
かかる目的を達成するために本発明の地中壁構造では、地下空間を形成するコンクリート壁内に、該地下空間の最下床より低い位置から地面に達する高さをなすように垂設された耐蝕性の排水管をコンクリート壁下に連通させるとともに、該排水管の下端部を該地下空間の最下床の下方に設けられた湧水ピットに連通させ、上記排水管の地中側面側にその長手方向に沿って網状部を備え、該網状部が導水性を有するシート状部材で覆われるとともに、上記コンクリート壁に上記シート状部材と地中側面とを連通する導水手段を備えたことを特徴とする
【００１０】
また、上記導水手段が、上記シート状部材に一方の端部が接触し、他端部が上記地中側面に至る耐蝕性の導水板でなることを特徴とする。
【００１１】
さらに、上記排水管を上記コンクリート壁内の地中側面側に偏らせて設けたことを特徴とする。
【００１２】
上述した地中壁構造にあっては、地下空間を形成するコンクリート壁内に排水管を垂設させ、この排水管の地中側面側に網状部を設けるととともに、この網状部を導水性を有するシート状部材で覆い、このシート状部材と地中側面とを導水手段で連通したので、コンクリート壁の地中側面側にしみ出した水は、導水手段に導かれてシート状部材に達し、このシート状部材が導水性を有しているので、このシート状部材に吸水されて網状部を通して排水管内に導かれる。
【００１３】
そして、排水管はコンクリート壁内に垂設されてコンクリート壁下に連通されているので、この排水管内に導かれた水は、そのまま下方に流れコンクリート壁下に排出されるため、壁面全体において確実に壁表面への漏水を防止し地下空間の壁面の美観を保つことができる。
【００１４】
また、排水管の網状部を導水性のシート状部材で覆っているので、施工時に打設したコンクリートが網状部の網目を塞ぐことを防止できるとともに、導水手段によって導かれた水を排水管内に導きつつ、水に混入している異物を取り除いて管の目詰まりを防止できる。
【００１５】
さらに、このコンクリート壁には、排水管、シート状部材、導水手段が設けられているので、この部分がコンクリート壁に縦方向の溝状をなす開口部として形成され、誘発目地として機能する。即ち、温度変化や乾燥収縮によって引張応力が生じてもコンクリート壁の地中側面側では、上記開口部が引張応力を吸収するのでひび割れが発生しにくく、逆にコンクリート壁の排水管の地下空間側部分はコンクリート厚が薄くなるので、この部分にひび割れを誘発させることができる。従って、このコンクリート壁にひび割れが発生したとしても、そのひび割れ部の地中側面側には導水手段及び排水管等が設けられているので、地中の水はこのひび割れに到達する以前に排水管に導かれて排水されるため、地下空間の壁面への漏水を防止できる。
【００１６】
さらに、導水手段としてシート状部材から地中側面に至る導水板を設けたので、コンクリート壁の地中側面側の水をこの導水板とコンクリートとの僅かな隙間から導水板に沿わせて、確実に排水管に案内することができる。
【００１７】
そして、上記排水管と導水板とが耐蝕性部材で形成されて、排水される水が接する部分には発錆する部材が用いられてないので、腐蝕による漏水や錆の流出が発生しない。
【００１８】
さらに、排水管をコンクリート壁内の地中側面側に偏らせて設けたので、排水管の地下空間側に誘発目地の機能を備えるとともに、コンクリート壁の強度を確保することができる。
【００１９】
【発明の実施の形態】
以下、本発明の実施形態を添付図面を参照して詳細に説明する。図１〜図３は本発明の地中壁構造の一実施形態を示し、図１は本発明の地中壁構造を示す平断面図、図２は図１のＡ−Ａ断面図、図３は本発明の地中壁に設けられる排水構造を示す詳細図であるである。
【００２０】
図示するように、本発明の地中壁構造は、地下空間５２を形成するために地中側面５０と地下空間５２との間に設けられるコンクリート壁１０であって、その内部には地中の水分が地下空間５２側に漏水しないような排水構造２０を備えられている。
【００２１】
即ち、上記排水構造２０は、断面が半円形状をなす樹脂製の管材の平面部分が網状に形成された網状部２４を有する複数の排水管２２と、各排水管２２の網状部２４を覆う導水性を有するシート状部材をなす不織布２６と、各不織布２６に一方の端部が接触するように設けられた導水手段をなす樹脂製の導水板２８と、上記排水管２２の下端部を連通させてその任意の位置で地下空間５２の最下床５６の下方に設けられた湧水ピット５４に連通する樹脂製の通水管３０及び中継管３２とで構成されている。
【００２２】
上記排水管２２は、コンクリート壁１０内に地下空間５２の最下床５６より低い位置から地面に達する高さをなし、適宜間隔を隔てて垂設されるとともに、地下空間５２を形成する上記コンクリート壁１０の厚さ方向に地中側面５０側から約１５〜２０％の位置に偏らせて設けられている。
【００２３】
そして、この排水管２２は、その網状部２４を地中側面５０側に臨ませて設けられ、その網状部２４は全面が不織布２６で覆われている。さらに、この不織布２６と地中側面５０との間には、導水板２８がコンクリート壁１０の厚さ方向に沿って設けられ、その一端が不織布２６と接触し、他端がコンクリート壁１０から露出して地中側面５０に接している。
【００２４】
即ち、コンクリート壁１０には、導水板２８の一端部をコンクリート表面から露出させて上記排水構造２０が埋設されているので、この埋設された部分に溝状をなす開口部１２ａが形成され、この開口部１２ａによってコンクリート壁１０の地中側面５０側に連続しない壁部分１０ａが形成される。
【００２５】
一方、各排水管２２の下端部は、壁面に沿って設けられ僅かに傾斜した通水管３０によって連通され、その適宜箇所に設けられた中継管３２によって、湧水ピット５４に連通されている。
【００２６】
また、このコンクリート壁１０には、縦横に配された格子状の補強筋１４が壁面に沿って２列に配筋されている。
【００２７】
そして、コンクリート壁１０の地中側面５０側にしみ出した水は、地中側面５０と接している導水板２８のコンクリートとの僅かな隙間から入り込んで導水板２８面に沿ってコンクリート壁１０内方に浸入し、その端部が接している不織布２６に至る。この水は、不織布２６の毛管現象によって吸収されて、排水管２２の網状部２４側から排水管２２内ににじみ出し、排水管２２を伝って下方に流れ通水管３０に到達する。このように各排水管２２に流れ込んだ水は通水管３０に流出し、この通水管３０に設けられた中継管３２から湧水ピット５４内に流出して排水される。即ち、コンクリート壁１０の地中側面５０側にしみ出した水は、コンクリート壁１０面より入り込み易い導水板２８面に沿って入り込み、排水管２２を通して確実に湧水ピット５４に排水され、地下空間５２の壁面５２ａへの漏水を防止することができる。
【００２８】
このとき、排水管２２は地下空間５２の最下床５６より低い位置で通水管３０と連通しているので、導水板２８及び排水管２２を地下空間５２を形成する壁面５２ａより低い位置まで排水構造２０を形成することができる。即ち、地下空間５２の壁面５２ａの全面に亘って排水構造２０を設けることができるため地下空間５２への漏水を確実に防止することができるとともに、地下空間５２下の湧水ピット５４にその排水を流出させることができるので、大規模な排水設備を設ける必要がない。従って、簡単な構造で施工コストを抑え容易に地下空間５２の壁面５２ａの美観を保つことができる。
【００２９】
また、このコンクリート壁１０に埋設される排水構造２０は、耐蝕性部材の排水管２２、通水管３０、中継管３２と導水板２８及び不織布２６で形成されているので、水が接する部分には発錆する部材が存在せず腐蝕による漏水や錆が流出することがない。よって、長期間使用しても地下空間５２の壁面５２ａの美観を保つことができる。
【００３０】
また、排水管２２の網状部２４は不織布２６で覆われているので、地中壁１０の施工時に打設したコンクリートによって網状部２４の網目が塞がれることを防止できるとともに、水に含まれた異物を取り除きつつその毛管現象によって水を積極的に吸収して水のみを排水管２２内に導くことができる。従って、排水管２２や通水管３０及び中継管３２等に異物が混入してそれらの管が目詰まりすることを防止できる。
【００３１】
さらに、このコンクリート壁１０には、排水管２２、不織布２６、導水板２８によって、コンクリート部分に溝状の開口部１２ａが形成され、誘発目地として機能する。即ち、水和熱による温度変化や乾燥収縮によって引張応力が生じてもコンクリート壁１０の地中側面５０側では、上記開口部１２ａが引張応力を吸収するのでひび割れが発生しにくく、逆にコンクリート壁１０の排水管２２の地下空間５２側部分はコンクリート厚が薄くなるので、この部分にひび割れを誘発させることができる。従って、このコンクリート壁１０にひび割れが発生したとしても、そのひび割れ部の地中側面５０側には導水板２８及び排水管２２等が設けられているので、地中の水はこのひび割れに到達する以前に排水管２２に導かれて排水されるため、地下空間５２の壁面に水がにじみ出すことなく壁面の美観を保つことができる。
【００３２】
さらに、排水管２２をコンクリート壁１０内の地中側面５０側に偏らせて設けたので、上記誘発目地の機能を備えるとともに、コンクリート壁１０の強度を確保することができる。特に、この排水管２２をコンクリート壁１０の厚さ方向に地中側面５０側から約１５〜２０％の位置に偏らせて設けたので、コンクリート壁１０の強度と誘発目地としての機能とを最適な条件下で効果的に得ることができる。
【００３３】
【発明の効果】
以上説明したように本発明の地中壁構造では、コンクリート壁内に、該地下空間の最下床より低い位置から地面に達する高さをなすように垂設させた排水管をコンクリート壁下に連通させるとともに、該排水管の下端部を該地下空間の最下床の下方に設けられた湧水ピットに連通させ、排水管の網状部を導水性を有するシート状部材で覆い、このシート状部材と地中側面とを導水手段で連通させたので、コンクリート壁体下面、つまり、地下空間の最下床下面よりも浅い深度のコンクリート壁の外面にしみ出した水は、導水手段に導かれシート状部材を介して排水管内に導かれて排水されるので、地下空間の壁面にしみ出すことがない。
【００３４】
また、排水管はコンクリート壁下に連通されているので、地下空間の壁面全体に亘って確実に壁面への漏水を防止し壁面の美観を保つことができる。
【００３５】
さらに、網状部を導水性のシート状部材で覆っているので、施工時に打設したコンクリートで網状部が塞がれることなく排水機能を確保するとともに、水を排水管内に導きつつ水に混入している異物を取り除き、排水管等の目詰まりを防止することができる。
【００３６】
他方、このコンクリート壁には、縦方向の溝状をなす開口部として形成され、誘発目地として機能するので、コンクリート壁の地中側面側ではひび割れが発生しにくく、コンクリート壁の排水管の地下空間側部分はひび割れを誘発させることができる。即ち、この部分にひび割れが発生したとしても、地中の水はこのひび割れに到達する以前に排水管に導かれて排水されるため、地下空間の壁面への漏水を防止できる。
【００３７】
さらに、排水管をコンクリート壁内の地中側面側に偏らせて設けたので、誘発目地の機能を備えるとともにコンクリート壁の強度を確保することができる。
【００３８】
また、導水手段としてシート状部材から地中側面に至る導水板を設けたので、コンクリート壁の地中側面側の水をこの導水板を伝わせて、確実に排水管に案内することができる。
【００３９】
さらに、上記排水管と導水板とが耐蝕性部材で形成されているので、腐蝕による漏水や錆の流出が発生せず、長期間の使用が可能であるとともに補修等の必要もない。
【図面の簡単な説明】
【図１】本発明の地中壁構造を示す平断面図である。
【図２】図１のＡ−Ａ断面図である。
【図３】本発明の地中壁に設けられる排水構造を示す詳細図である。
【符号の説明】
１０  コンクリート壁（地中壁）
１２  開口部
１４  補強筋
２０  排水構造
２２  排水管
２４  網状部
２６  不織布（シート状部材）
２８  導水板
３０  通水管
３２  中継管
５０  地中側面
５２  地下空間
５４  湧水ピット
【図１】
0003695243.tif 000002
【図２】
0003695243.tif 000003
【図３】
0003695243.tif 000004